【手続補正書】
【提出日】平成18年5月29日(2006.5.29)
【手続補正１】
【補正対象書類名】明細書
【補正対象項目名】特許請求の範囲
【補正方法】変更
【補正の内容】
【特許請求の範囲】
【請求項１】
色信号と輝度信号の差を示す複数の色差信号に対して、該色差信号の少なくとも２つのレベルで乗算係数の異なる非線形演算を施す第１のステップと、
該非線形演算の結果に対して前記輝度信号を加算し、補正された色信号を得る第２のステップと
を含むことを特徴とする色補正方法。
【請求項２】
請求項１記載の色補正方法であって、
さらに、前記非線形演算の変換特性、及び／または前記非線形演算のパラメ−タを入力するステップを含むことを特徴とする色補正方法。
【請求項３】
請求項１または請求項２記載の色補正方法であって、前記第２のステップの終了後、補正される前の色信号を得るステップを含むことを特徴とする色補正方法。
【請求項４】
請求項３記載の色補正方法であって、
前記補正される前の色信号を得るステップが、下記の（Ａ）〜（Ｃ）の何れかによることを特徴とする色補正方法。
（Ａ）再度色信号あるいは色差信号を取得する
（Ｂ）補正される前の色信号あるいは色差信号のデータを記憶しておき、それを読み出すことにより得る
（Ｃ）補正時の変換特性、パラメ−タ、及び輝度データを記憶しておき、色補正処理を行った結果に対して、前記変換特性、パラメ−タ、及び輝度デ−タを用いて逆演算を施す。
【請求項５】
請求項１または請求項２記載の色補正方法であって、
前記輝度信号のデ−タを記憶しておき、１回目の色補正処理の後、前記輝度信号のデ−タと、１回目の色補正処理における変換特性、及びパラメ−タより、前記１回目の色補正処理前の色差信号を求め、この結果を基にして、２回目の色補正処理における変換特性、及び／またはパラメ−タにより２回目の色補正処理を行うステップを含むことを特徴とする色補正方法。
【請求項６】
請求項１または請求項２記載の色補正方法であって、
前記輝度信号のデ−タを記憶しておくステップを含み、
１回目の色補正処理を行った後に、等価的に前記輝度信号のデータに基づいて等価的に１回目の色補正前の色差信号のデータを得、前記１回目の色補正処理と同じもしくは異なる変換特性、及び／またはパラメ−タをもつ２回目の色補正処理を行う色補正方法。
【請求項７】
請求項１または請求項２記載の色補正方法であって、
前記非線形演算の変換特性、及び／又はパラメ−タを、表示装置の表示画面上の領域によって異なるように設定可能とすることを特徴とする色補正方法。
【請求項８】
請求項１記載の色補正方法であって、
入力される画像データから前記色差信号を生成するステップを含み、そのステップの前に、入力される画像データを固定するステップを有することを特徴とする色補正方法。
【請求項９】
請求項１記載の色補正方法であって、
色補正処理前の画像デ−タと、その色補正処理における変換特性及びパラメ−タを、着脱可能な記憶媒体、もしくは、外部記憶装置に転送するステップを有することを特徴とする色補正方法。
【請求項１０】
請求項４又は請求項５又は請求項６又は請求項９記載の色補正方法であって、
前記輝度信号又は前記画像デ−タは、可逆変換可能な形態で圧縮して記憶されることを特徴とする色補正方法。
【請求項１１】
色信号と輝度信号の差を示す複数の色差信号に対して、該色差信号の少なくとも２つのレベルで乗算係数の異なる非線形演算を施す第１の手段と、
該非線形演算の結果に対して前記輝度信号を加算し、補正された色信号を得る第２の手段と
を含むことを特徴とする色補正装置。
【請求項１２】
請求項１１記載の色補正装置であって、
さらに、前記非線形演算の変換特性、及び／または前記非線形演算のパラメ−タを入力する手段を含むことを特徴とする色補正装置。
【請求項１３】
請求項１１または請求項１２記載の色補正装置であって、
前記第２の手段での処理が終了後、補正される前の色信号を得る手段を有することを特徴とする色補正装置。
【請求項１４】
請求項１３記載の色補正装置であって、
前記補正される前の色信号を得る手段が、下記の（Ａ）〜（Ｃ）の何れかによることを特徴とする色補正装置。
（Ａ）再度色信号あるいは色差信号を取得する
（Ｂ）補正される前の色信号あるいは色差信号のデータを記憶しておき、それを読み出すことにより得る
（Ｃ）補正時の変換特性、パラメ−タ、及び輝度データを記憶しておき、色補正処理を行った結果に対して、前記変換特性、パラメ−タ、及び輝度デ−タを用いて逆演算を施す。
【請求項１５】
請求項１１または請求項１２記載の色補正装置であって、
前記輝度信号のデ−タを記憶する記憶手段を有し、１回目の色補正処理の後、前記輝度信号のデ−タと、１回目の色補正処理における変換特性、及びパラメ−タより、前記１回目の色補正処理前の、色差信号を求め、この結果を基にして、２回目の色補正処理における変換特性、及び／またはパラメ−タにより２回目の色補正処理を行う第３の手段を有することを特徴とする色補正装置。
【請求項１６】
請求項１１または請求項１２記載の色補正装置であって、
前記輝度信号のデ−タを記憶する記憶手段を有し、
１回目の色補正処理を行った後に、等価的に前記輝度信号のデータに基づいて等価的に１回目の色補正前の色差信号のデータを得、前記１回目の色補正処理と同じもしくは異なる変換特性、及び／またはパラメ−タをもつ２回目の色補正処理を行う色補正装置。
【請求項１７】
請求項１１または請求項１２記載の色補正装置であって、
前記第１の手段における前記非線形演算の変換特性、及び／又はパラメ−タを、表示装置の表示画面上の領域によって異なるように設定可能とすることを特徴とする色補正装置。
【請求項１８】
請求項１１記載の色補正装置であって、
入力される画像データから前記色差信号を生成する色差信号生成手段を有し、その色差信号生成手段によって色差信号を生成する前に入力される画像データを固定する手段を有することを特徴とする色補正装置。
【請求項１９】
請求項１１記載の色補正装置であって、
色補正処理前の画像デ−タと、その色補正処理における変換特性及びパラメ−タを、着脱可能な記憶媒体、もしくは、外部記憶装置に転送する転送手段を有することを特徴とする色補正装置。
【請求項２０】  
請求項１４又は請求項１５又は請求項１６又は請求項１９記載の色補正装置であって、
前記輝度信号又は前記画像デ−タは、可逆変換可能な形態で圧縮して記憶されることを特徴とする色補正装置。
【請求項２１】
赤、緑、青色成分を含む３種の色信号が入力され、少なくとも１種の前記色信号を増幅して出力する色補正装置であって、
輝度信号と、前記色信号から前記輝度信号を減算した少なくとも１種の色差信号を出力するマトリクス手段と、
前記色差信号のレベルに応じて異なる増幅度で前記色差信号を増幅する色差信号強調手段と、
前記色差信号強調手段からの出力と前記輝度信号とを加算する加算手段とを有することを特徴とする色補正装置。
【請求項２２】
赤、緑、青色成分を含む３種の色信号と輝度信号との差を示す複数の色差信号のレベルに応じて異なる増幅度で前記色差信号を増幅する色差信号強調手段と、
前記色差信号強調手段からの出力と前記輝度信号とを加算して増幅された色信号を出力する加算手段と
を有することを特徴とする色補正装置。
【請求項２３】
赤、緑、青色成分を含む３種の色信号が入力され、少なくとも１種の前記色信号を増幅して出力する色補正装置であって、
輝度信号と、前記色信号から前記輝度信号を減算した少なくとも１種の色差信号を出力するマトリクス手段と、
前記色差信号の少なくとも２つのレベルの異なる増幅度で前記色差信号を増幅する色差信号強調手段と、
前記色差信号強調手段からの出力と前記輝度信号とを加算する加算手段とを有することを特徴とする色補正装置。
【請求項２４】
請求項２１または請求項２２に記載の色補正装置であって、
前記色差信号強調手段は、所定のレベル範囲の前記色差信号の通過を阻止し、
前記所定のレベル範囲外の前記色差信号を通過させるコアリング手段と、
前記コアリング手段の出力を増幅する増幅手段と、
前記増幅手段の出力と前記色差信号とを加算する第２の加算手段とを有することを特徴とする色補正装置。
【請求項２５】
撮像した被写体の画像信号が入力され、前記被写体の像を表示するする表示装置であって、
請求項２１から請求項２４のいずれかに記載の色補正装置を備えたことを特徴とする表示装置。
【手続補正２】
【補正対象書類名】明細書
【補正対象項目名】００２３
【補正方法】削除
【補正の内容】
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００４５
【補正方法】削除
【補正の内容】
【手続補正１３】
【補正対象書類名】明細書
【補正対象項目名】００４７
【補正方法】削除
【補正の内容】
【手続補正１４】
【補正対象書類名】明細書
【補正対象項目名】００４９
【補正方法】削除
【補正の内容】
【手続補正１５】
【補正対象書類名】明細書
【補正対象項目名】００５０
【補正方法】削除
【補正の内容】
【手続補正１６】
【補正対象書類名】明細書
【補正対象項目名】００５１
【補正方法】削除
【補正の内容】